(57)【特許請求の範囲】
【請求項１】
飲料容器本体の開口部にストローアダプターを着脱可能に装着するとともに、そのストローアダプターにストローを装着したストロー付飲料容器において、上記ストローを互いに接続可能な飲み物側の長尺ストローと口にくわえられる短尺ストローの２つのパーツによって形成し、
口にくわえられる短尺ストローの一端部には、ストローアダプターのストロー挿入口に係合し、上記短尺ストローをストローアダプターに固定する鍔部と、当該鍔部との間でストローアダプターのストロー挿入口の内周縁部を挟持するフランジ部とが設けられ、
短尺ストローの鍔部とフランジ部とによって上記口にくわえられる短尺ストローを当該短尺ストローの軸線方向に移動しないようにストローアダプターに固定するようにし、
鍔部には、短尺ストローの軸線に対して傾斜したストロー差込口が設けられ、そのストロー差込口に長尺ストローを挿入接続するようにし、
短尺ストローの軸線および長尺ストローの軸線は、飲料容器本体の開口部をなす平面に垂直な垂直軸に対して互いに同一の方向に傾斜していることを特徴とするストロー付飲料容器。
【発明の詳細な説明】
【０００１】
【発明の属する技術分野】
本発明は、飲料容器にストローを挿入装着しておき必要に応じてそのストローによって容器内の飲料を飲むことが出来るようにしたストロー付飲料容器に関する。
【０００２】
【従来の技術及び発明が解決しようとする課題】
一般に、容器本体にストローを挿入装着しておき幼児等が何時でも飲み物を容易に飲むことが出来るようにしたストロー付飲料容器が提案され、実用に供されている。ところで、このようなストロー付飲料容器においてはストローをアダプターの挿入口に差し込むときに嵌合をきつめにして設定し、漏れにくくするとともにストローが抜けにくくなるようにしてある。
【０００３】
しかし、このようなものにおいても、幼児がストローを引っ張ったときにストローが抜けてしまったり、ストローの先端が長く出過ぎて飲みにくくなったり、ストローの下端が容器の底より浮いてしまって飲み物を最後まで飲みきれなくなる等の問題がある。
【０００４】
本発明は、このような点に鑑み、幼児がストローを引っ張ってもストローが抜け出るようなことがなく、常に飲みやすい長さが保持され最後まで飲みきることが出来るようにしたストロー付飲料容器を得ることを目的とする。
【０００５】
【課題を解決するための手段】
請求項１に係る発明は、飲料容器本体の開口部にストローアダプターを着脱可能に装着するとともに、そのストローアダプターにストローを装着したストロー付飲料容器において、上記ストローを互いに接続可能な飲み物側の長尺ストローと口にくわえられる短尺ストローの２つのパーツによって形成し、口にくわえられる短尺ストローの一端部には、ストローアダプターのストロー挿入口に係合し、上記短尺ストローをストローアダプターに固定する鍔部と、当該鍔部との間でストローアダプターのストロー挿入口の内周縁部を挟持するフランジ部とが設けられ、短尺ストローの鍔部とフランジ部とによって上記口にくわえられる短尺ストローを当該短尺ストローの軸線方向に移動しないようにストローアダプターに固定するようにし、鍔部には、短尺ストローの軸線に対して傾斜したストロー差込口が設けられ、そのストロー差込口に長尺ストローを挿入接続するようにし、短尺ストローの軸線および長尺ストローの軸線は、飲料容器本体の開口部をなす平面に垂直な垂直軸に対して互いに同一の方向に傾斜していることを特徴とする。
【０００８】
【発明の実施の形態】
以下、添付図面を参照して本発明の実施の形態について説明する。
【０００９】
図１は本発明のストロー付飲料容器の一部断面側面図、図２は上記ストロー付飲料容器の平面図であり、図１に示すように、容器本体１の開口部にはストローアダプター２が着脱可能に螺着されている。上記ストローアダプター２内には周方向に延びるパッキン３が設けられており、容器本体１に装着されたストローアダプター２と容器本体１の開口端部との間のシールを行うようにしてある。
【００１０】
上記ストローアダプター２には筒状の弁ケーシング４が内側に突出するように形成されており、その弁ケーシング４内に筒状のパッキング５を介して空気孔開閉バルブを構成する弁体６が同軸的にかつその軸線周りに回動可能に嵌装されている。弁体６の外面には軸線方向に延びる連通路７が形成されており、弁体６の頂部には、掴み８を有するロック部材９が一体に設けられている。一方、上記弁ケーシング４及びパッキング５の側壁部には空気孔１０が穿設されており、掴み８によりロック部材９を介して弁体６を回動することにより、空気孔１０が開閉され、その空気孔１０及び連通路７を介して容器本体１内が大気に連通或いは閉鎖されるようにしてある。
【００１１】
また、上記ストローアダプター２には、偏芯位置にストロー挿入口１１が穿設されており、そのストロー挿入口１１に後述するストローが挿入装着されている。さらに、上記ストローアダプター２には弁体６の軸線に直交する軸線周りに揺動可能にストローキャップ１２が枢着されている。そして、そのストローキャップ１２の閉位置において、上記ストロー挿入口４に装着されているストローを覆うことが出来るようにしてある。
【００１２】
ところで、上記ストローキャップ１２には揺動軸側に、ロック部材９の径より若干大きい径を有する半円弧状の切り欠き１２aが形成されており、その半円弧状の切り欠き１２aの内周中央部にロック片１３が突設されている。一方、前記ロック部材９には径方向に対向する位置に上記ロック片１３が挿通し得る切り欠き部９aが設けられており、前記弁体６が開位置に回動されたときに上記切り欠き部９aがストローキャップ１２のロック片１３と対応する位置に来るようにしてある。
【００１３】
ところで、ストロー２０は短尺ストロー２１と長尺ストロー２２とによって形成されており、短尺ストロー２１に対して長尺ストロー２２が接続可能としてある。上記短尺ストロー２１の基端部には大径の鍔部２３と小径のフランジ部２４が設けられており、その鍔部２３とフランジ部２４との間にストローアダプター２のストロー挿入口１１の内周縁部が挟持され、短尺ストロー２１がストローアダプター２に固着されている。上記鍔部２３には短尺ストロー２１の軸線と所定角度傾斜したストロー差込口２５が設けられており、そのストロー差込口２５に長尺ストロー２２が挿入装着されている。
【００１４】
しかして、常時においては、ストローキャップ１２は、図１において一点鎖線で示すように閉状態にあり、ストローキャップ１２のロック片１３の上方にロック部材９の周縁部が位置しており、ストローキャップ１２の開方向の揺動が阻止されている。
【００１５】
そこで、この飲料容器内の飲み物を飲む場合には、掴み８を開位置に回すと弁体６が９０°回動し、連通路７によって空気孔１０が開放され容器内の圧抜きが行われる。また、このときにはロック部材９の回動によりロック部材９の切り欠き９aがロック片１３の上方に位置しており、ストローキャップ１２のロックが解除される。したがって、図１に示すように、ストローキャップ１２を開方向に揺動させることが出来る。しかして、上述のようにしてストローキャップ１２を開放すると、短尺ストロー２１がストローアダプター２の表面から立ち上がる。このようにして、ストローキャップ１２を完全に解放し、ロック部材９を閉位置に戻すと、ロック部材９の周縁部がストローキャップ１２のロック片１３の上方に係合してストローキャップ１２のロックが行われる。したがって、上記ストローキャップ１２のロック状態で、ストローアダプター２から突出している短尺ストロー２１により容器内の飲み物を飲むことが出来る。
【００１６】
このようにして飲み終わったら、ロック部材９を一端開位置に回動してロックを解放した後、ストローキャップ１２を元の位置に戻しロック部材９によりロックする。
【００１７】
このように、このストロー付飲料容器においてはストローキャップ１２を開放するためにロック部材９を回動することにより、空気孔開閉バルブが自動的に開放されるので、意識的に圧抜きを行う必要がなく、圧抜きを忘れるといった誤操作を防止することが出来る。
【００１８】
しかも、ストロー２０が短尺ストロー２１と長尺ストロー２２に分割されており、短尺ストロー２１がストローアダプター２に固着されているので、幼児がストロー２０を引っ張ってもストローが抜けるようなことがなく、また、ストローアダプター２から突出しているストローの長さが変化するようなこともない。
【００１９】
さらに、上述のように、ストロー２０が長短２つのパーツに分離しているので、幼児の成長に合わせて最初は短尺ストロー２１のみを使用すると今まで使用していた乳首やスパウトのように傾けた状態で飲み物を飲むことが出来る。そして、ストローから飲み物が出てくることを認識できるようになった段階で長尺ストロー２２を付けて使用することにより、乳首、スパウトからスムースにストローの使用にステップアップさせることが出来る。また、短尺ストロー２１と長尺ストロー２２が互いに傾斜しているので、長尺ストロー２２の先端が容器本体１の隅角部に位置するようにすることが出来、飲み物を完全に飲み干すことが出来る。
【００２０】
【発明の効果】
以上説明したように、本発明は、ストローを互いに接続可能な長尺ストローと短尺ストローの２つのパーツによって形成し、上記短尺ストローをストローアダプターに固定するようにしたので、幼児がストローを引っ張ってもストローが抜けるようなことがなく、また、ストローアダプターから突出しているストローの長さが変化するようなこともなく、ストローが常に飲みやすい長さに保持され最後まで飲み物をスムースに飲みきることが出来る。
【図面の簡単な説明】
【図１】本発明のストロー付飲料容器の縦断面図。
【図２】図１の平面図。
【符号の説明】
１  容器本体
２  ストローアダプター
４  弁ケーシング
７  連通路
８  掴み
９  ロック部材
１０  空気孔
１１  ストロー挿入口
１２  ストローキャップ
１３  ロック片
２０  ストロー
２１  短尺ストロー
２２  長尺ストロー
２３  鍔部
２４  フランジ部
２５  差込口
【図１】
0004990444.tif 000002
【図２】
0004990444.tif 000003